(57)【要約】  一側面による掃除機は、吸入力を発生させるための吸入モータ；前記吸入モータで発生した吸入力によって吸入された空気と埃を案内する吸入部；前記吸入部によって案内された空気から埃を分離する埃分離部；前記吸入モータの制御命令を生成することができ、互いに離隔する第１ＰＣＢと第２ＰＣＢとを備えメインＰＣＢ；前記メインＰＣＢを収容できるハンドル部；及び前記第１ＰＣＢと前記第２ＰＣＢを連結した状態で前記ハンドル部に結合されるＰＣＢコネクターを備えてなる。【選択図】  図１
2019527593.tif 000002
【特許請求の範囲】
【請求項１】
掃除機であって、
吸入力を発生させるための吸入モータ；
前記吸入モータで発生した吸入力によって吸入された空気と埃を案内する吸入部；
前記吸入部によって案内された空気から埃を分離する埃分離部；
前記吸入モータの制御命令を生成することができ、互いに離隔する第１ＰＣＢと第２ＰＣＢとを備えメインＰＣＢ；
前記メインＰＣＢを収容できるハンドル部；及び
前記第１ＰＣＢと前記第２ＰＣＢを連結した状態で前記ハンドル部に結合されるＰＣＢコネクターを備えてなる、掃除機。
【請求項２】
前記ＰＣＢコネクターは、前記ハンドル部に結合されるための結合フックを備えてなる、請求項１に記載の掃除機。
【請求項３】
前記ハンドル部は、ハンドルボディを含み、
前記ハンドルボディには、前記メインＰＣＢと前記ＰＣＢコネクターが収容されるための収容空間と、前記収容空間に収容される前記ＰＣＢコネクターの結合フックが結合されるコネクター結合部が備えられてなる、請求項２に記載の掃除機。
【請求項４】
前記第１ＰＣＢと前記第２ＰＣＢが前記ＰＣＢコネクターに連結された状態で前記第１ＰＣＢと前記第２ＰＣＢは平行に配置される、請求項３に記載の掃除機。
【請求項５】
前記第１ＰＣＢと前記第２ＰＣＢが立てられた状態で前記ＰＣＢコネクターの結合フックが前記コネクター結合部に結合される、請求項３に記載の掃除機。
【請求項６】
前記ハンドルボディは、前記収容空間に収容される前記メインＰＣＢを支持するためのサポーターを更に備えてなり、
前記サポーターは、前記メインＰＣＢが安着される安着面と、
前記安着面に安着された前記第１ＰＣＢを支持する第１リブと、前記安着面に安着された前記第２ＰＣＢを支持する第２リブとを備えてなる、請求項３に記載の掃除機。
【請求項７】
前記ＰＣＢコネクターは、前記結合フックが備えられるコネクターボディと、
前記コネクターボディで延びるスペーサーと、
前記スペーサーの両側で突出して前記第１ＰＣＢ及び前記第２ＰＣＢそれぞれと結合する結合突起とを備えてなる、請求項２に記載の掃除機。
【請求項８】
前記スペーサーの両側で前記結合突起に前記第１ＰＣＢ及び前記第２ＰＣＢが結合された状態で、前記コネクターボディは、前記第１ＰＣＢ及び第２ＰＣＢの上面に安着される、請求項７に記載の掃除機。
【請求項９】
前記コネクターボディには、前記結合フックの破損を防止するための補強リブが備えられてなる、請求項７に記載の掃除機。
【請求項１０】
複数のスペーサーが前記コネクターボディから離隔して配置され、
前記補強リブは、前記複数のスペーサーのうち一つのスペーサーと前記結合フックを連結する、請求項９に記載の掃除機。
【請求項１１】
前記第１ＰＣＢ及び前記第２ＰＣＢのいずれか一つには、光を照射するための発光部が備えられてなり、
前記コネクターボディには、前記発光部から調査された光が通過するための光開口が備えられてなる、請求項７に記載の掃除機。
【請求項１２】
前記メインＰＣＢ及び前記ＰＣＢコネクターをカバーするＰＣＢカバーを更に備えてなり、
前記ＰＣＢカバーには、前記光開口を通過した光が透過する光透過部が備えられる、請求項１１に記載の掃除機。
【請求項１３】
前記ＰＣＢカバーは、前記ＰＣＢコネクターをカバーする上面部と、
前記上面部の両断部に下方に延びる一対の側面部とを備えてなり、
前記一対の側面部は、前記ＰＣＢコネクターの側面、前記第１ＰＣＢの一部及び第２ＰＣＢの一部をカバーする、請求項１２に記載の掃除機。
【請求項１４】
前記光透過部は、前記ＰＣＢカバーで突出し、
前記ハンドル部は、前記光透過部が挿入される挿入孔を備えてなる、請求項１２に記載の掃除機。
【請求項１５】
前記ハンドル部に備えられる操作部と、
前記メインＰＣＢと連結され、前記操作部の操作命令の入力を受けるパワーＰＣＢを更に備えてなり、
前記ハンドルボディは、前記パワーＰＣＢを傾斜した状態で支持するための支持リブを更に備えてなる、請求項３に記載の掃除機。
【請求項１６】
前記パワーＰＣＢは、前記メインＰＣＢと同じ高さで前記ハンドルボディに固定される、請求項１５に記載の掃除機。
【請求項１７】
前記メインＰＣＢは、前記支持リブに安着された前記パワーＰＣＢを支持する、請求項１５に記載の掃除機。
【請求項１８】
掃除機であって、
吸入力を発生させるための吸入モータ；
前記吸入モータで発生した吸入力によって吸入された空気と埃を案内する吸入部；
前記吸入部で吸入された空気から埃を分離する埃分離部を備える本体；
前記吸入モータの制御命令を生成することができ、複数のＰＣＢを備えメインＰＣＢ組立体；及び
前記メインＰＣＢ組立体が結合されるハンドル部を備えてなり、
前記ハンドル部は、前記吸入部の長手方向の軸が貫通する第１延長部と、
前記第１延長部の上側部から前記本体に向かって延びる第２延長部とを備えてなり、
前記メインＰＣＢ組立体は、前記第２延長部内に収容される過程で前記ハンドル部に結合される、掃除機。
【発明の詳細な説明】
【技術分野】
【０００１】
本明細書は、掃除機に関する。
【背景技術】
【０００２】
掃除機は、使用者が直接掃除機を移動させながら掃除を行う手動掃除機と、自ら走行しながら掃除を行う自動掃除機とに区分することができる。
【０００３】
また、手動掃除機は、掃除機の形態により、キャニスター型掃除機、アップライト型掃除機、ハンディ型掃除機、スティック型掃除機などに区分することができる。
【０００４】
先行文献である大韓民国登録特許公報第１０-１１２７０８８号（登録日２０１２．０３．０８．）にはハンドヘルド真空掃除機が開示されている。
【０００５】
前記ハンドヘルド真空掃除機は、吸入管と、気流生成器、遠心分離装置、電源およびハンドルを含む。
【０００６】
前記ハンドルには、吸入モータとバッテリーに連結されるＰＣＢが位置し得る。
【０００７】
しかし、先行文献によると、前記ハンドルの上側に気流生成器が位置し、下側に電源が位置するので、前記ハンドルの内部空間が狭いという問題があり、これに従って、前記ＰＣＢを設けられるための構造が複雑であり、ＰＣＢ設置のための作業が困難であるという問題がある。
【発明の概要】
【発明が解決しようとする課題】
【０００８】
本発明の目的は、ハンドル内にメインＰＣＢが容易に設けられ得る掃除機を提供することにある。
【０００９】
また、本発明の目的は、メインＰＣＢをハンドルに固定するための別途の締結部材を使用せず、メインＰＣＢがハンドルに引き入れられる過程で、ハンドルに固定され得る掃除機を提供することにある。
【００１０】
また、本発明の目的は、メインＰＣＢの大きさが減るようになってハンドルの大きさが減ることができる掃除機を提供することにある。
【課題を解決するための手段】
【００１１】
一側面による掃除機は、吸入力を発生させるための吸入モータ；前記吸入モータで発生した吸入力によって吸入された空気と埃を案内する吸入部；前記吸入部によって案内された空気から埃を分離する埃分離部；前記吸入モータの制御命令を生成することができ、互いに離隔する第１ＰＣＢと第２ＰＣＢとを含むメインＰＣＢ；前記メインＰＣＢを収容できるハンドル部；および前記第１ＰＣＢと前記第２ＰＣＢを連結した状態で前記ハンドル部に結合されるＰＣＢコネクターを含む。
【００１２】
他の側面による掃除機は、吸入力を発生させるための吸入モータ；前記吸入モータで発生した吸入力によって吸入された空気と埃を案内する吸入部；前記吸入部で吸入された空気から埃を分離する埃分離部を備える本体；前記吸入モータの制御命令を生成することができ、複数のＰＣＢを含むメインＰＣＢ組立体；および前記メインＰＣＢ組立体が結合されるハンドル部を含み、前記ハンドル部は、前記吸入部の長手方向の軸が貫通する第１延長部と、前記第１延長部の上側部から前記本体に向かって延びる第２延長部とを含み、前記メインＰＣＢ組立体は、前記第２延長部内に収容される過程で前記ハンドル部に結合される。
【発明の効果】
【００１３】
提案される発明によると、メインＰＣＢが二つのＰＣＢに区分された状態でハンドルボディ内に収容されるので、メインＰＣＢの大きさが減ることができるという長所がある。
【００１４】
特に、前記二つのＰＣＢが平行な状態および立てられた状態でハンドルボディに収容されるので、メインＰＣＢユニットの大きさが最小化されるという長所がある。
【００１５】
また、二つのＰＣＢをＰＣＢコネクターに連結した状態で、メインＰＣＢ組立体をハンドルボディの収容空間に挿入させる過程で、前記メインＰＣＢ組立体が前記ハンドルボディに結合され得る。したがって、二つのＰＣＢを互いに固定するための構造および二つのＰＣＢを前記ハンドルボディに固定するための構造が簡単になり、使用者の組立過程が容易であるという長所がある。
【図面の簡単な説明】
【００１６】
【図１】本発明の一実施例に係る掃除機の斜視図。
【図２】本発明の一実施例に係る掃除機の側面図。
【図３】本発明の一実施例に係る掃除機の平面図。
【図４】本発明の一実施例に係る掃除機を下側から見た斜視図。
【図５】本発明の一実施例に係る掃除機の縦断面図。
【図６】本発明の一実施例に係る本体からハンドル部が分離された状態を示す図面。
【図７】本発明の一実施例に係るハンドル部の斜視図。
【図８】本発明の一実施例に係るメインＰＣＢユニットの斜視図。
【図９】図８のメインＰＣＢユニットの正面図。
【図１０】図８のメインＰＣＢユニットの分解斜視図。
【図１１】図８のメインＰＣＢユニットの分解斜視図。
【図１２】本発明のＰＣＢコネクターの斜視図。
【図１３】本発明の一実施例に係るコネクターの斜視図。
【図１４】図１３のコネクターの平面図。
【図１５】メインＰＣＢユニットとコネクターが連結された状態を示す斜視図。
【図１６】第２ＰＣＢとコネクターが連結された状態を示す断面図。
【図１７】本発明の一実施例に係るハンドルボディの斜視図。
【図１８】ハンドルの内部構造を示す断面図。
【図１９】ハンドルボディにメインＰＣＢユニットが連結された状態の断面図。
【図２０】ハンドルボディにメインＰＣＢユニットが連結された状態でパワーＰＣＢが支持リブに安着された様子を示す図面。
【図２１】図２０の状態でハンドルカバーおよび操作部が結合される様子を示す図面。
【図２２】本発明の一実施例に係るハンドル部の組み立てが完了した状態でハンドル部が本体に結合される様子を示す図面。
【発明を実施するための形態】
【００１７】
以下、本発明の一部の実施例を例示的な図面を通じて詳細に説明する。各図面の構成要素に参照符号を付けることにおいて、同一の構成要素に対しては、たとえ他の図面上に示されてもできるだけ同じ符号を有するようにしていることに留意しなければならない。また、本発明の実施例を説明することにおいて、関連した公知の構成または機能に対する具体的な説明が本発明の実施例に対する理解を妨害すると判断される場合にはその詳細な説明は省略する。
【００１８】
また、本発明の構成要素を説明することにおいて、第１、第２、Ａ、Ｂ、（ａ）、（ｂ）等の用語を使用し得る。このような用語は単にその構成要素を他の構成要素と区別するためのものであり、その用語によって該当構成要素の本質や順序または手順などが限定されることはない。ある構成要素が他の構成要素に「連結」、「結合」または「接続」されると記載された場合、その構成要素はその他の構成要素に直接的に連結されるかまたは接続され得るが、各構成要素の間にまた他の構成要素が「連結」、「結合」または「接続」され得ると理解されるべきである。
【００１９】
図１は、本発明の一実施例に係る掃除機の斜視図であり、図２は、本発明の一実施例に係る掃除機の側面図であり、図３は、本発明の一実施例に係る掃除機の平面図であり、図４は、本発明の一実施例に係る掃除機を下側から見た斜視図であり、図５は、本発明の一実施例に係る掃除機の断面図である。
【００２０】
図１ないし図５を参照すると、本発明の一実施例に係る掃除機１は、本体２を含むことができる。
【００２１】
前記掃除機１は、前記本体２の前面に結合される吸入部５をさらに含むことができる。前記吸入部５は、埃を含む空気を前記本体２に案内することができる。
【００２２】
前記掃除機１は、前記本体２に結合されるハンドル部３をさらに含むことができる。前記ハンドル部３は、前記本体２で前記吸入部５の反対側に位置し得る。
【００２３】
すなわち、前記吸入部５と前記ハンドル部３との間に前記本体２が配置され得る。
【００２４】
前記本体２は、第１ボディ１０と、前記第１ボディ１０の上側に位置する第２ボディ１２を含むことができる。前記第１ボディ１０と前記第２ボディ１２は、直接結合されたり中間の媒介部材によって間接的に連結され得る。
【００２５】
前記第１ボディ１０と前記第２ボディ１２は、制限的ではないが、円筒形状に形成され得る。
【００２６】
そして、前記第１ボディ１０と前記第２ボディ１２それぞれは、上側および下側が開口される。すなわち、前記各ボディ１０、１２は、上側開口および下側開口を含むことができる。
【００２７】
そして、前記吸入部５の中央部が概略的に前記第１ボディ１０と前記第２ボディ１２の境界部に位置するように前記吸入部５が前記本体２に結合され得る。
【００２８】
前記本体２は、前記吸入部５を介して吸入された空気から埃を分離する埃分離部をさらに含むことができる。
【００２９】
前記埃分離部は、一例として、サイクロン流動によって埃を分離できる第１サイクロン部１１０を含むことができる。このとき、前記第１ボディ１０が前記第１サイクロン部１１０を含む。
【００３０】
前記吸入部５を介して吸入される空気と埃は、前記第１サイクロン部１１０の内周面に沿って螺旋流動するようになる。
【００３１】
前記第１サイクロン部１１０のサイクロン流動の軸は、上下方向に延びることができる。
【００３２】
前記埃分離部は、前記第１サイクロン部１１０から排出された空気から埃を再度分離する第２サイクロン部１３０をさらに含むことができる。このとき、前記埃分離部の大きさが最小化されるように、前記第２サイクロン部１３０は、前記第１サイクロン部１１０の内部に位置し得る。前記第２サイクロン部１３０は、並列に配置される複数のサイクロンボディを含むことができる。
【００３３】
他の例として、前記埃分離部が単一サイクロン部を有してもよく、この場合にも前記サイクロン流動の軸は、上下方向に延びることができる。
【００３４】
前記第１ボディ１０は、前記各サイクロン部１１０、１３０から分離された埃を貯蔵するダストボックスの役割をする。前記本体２は、前記第１ボディ１０の下側を開閉するボディカバー１６をさらに含むことができる。前記ボディカバー１６は、回転動作によって前記第１ボディ１０を開閉することができる。前記第１ボディ１０には、前記ボディカバー１６の回転のために操作するボタン１８が備えられ得る。前記ボディカバー１６のヒンジ１６２は、バッテリーハウジング６０に備えられたヒンジ結合部６２０に結合され得る。
【００３５】
前記第２サイクロン部１３０の少なくとも一部は、前記第１ボディ１０内に位置し得る。
【００３６】
前記第１ボディ１０内には、前記第２サイクロン部１３０で分離された埃の貯蔵をガイドする埃貯蔵ガイド１２４が配置され得る。前記埃貯蔵ガイド１２４は、前記第２サイクロン部１３０の下側に結合されて前記ボディカバー１６の上面に接触し得る。
【００３７】
前記埃貯蔵ガイド１２４は、前記第１ボディ１０の内部空間を前記第１サイクロン部１１０で分離された埃が貯蔵される第１埃貯蔵部１２１と、前記第２サイクロン部１３０で分離された埃が貯蔵される第２埃貯蔵部１２３とに区画することができる。
【００３８】
前記埃貯蔵ガイド１２４の内部空間が前記第２埃貯蔵部１２３であり、前記埃貯蔵ガイド１２４と前記第１ボディ１０との間の空間が第１埃貯蔵部１２１である。
【００３９】
前記ボディカバー１６は、前記第１埃貯蔵部１２１と前記第２埃貯蔵部１２３とを共に開閉することができる。
【００４０】
前記掃除機１は、吸入力を発生させるための吸入モータ２０と、前記吸入モータ２０に電源を供給するためのバッテリー４０とをさらに含むことができる。
【００４１】
前記吸入モータ２０は、前記第２ボディ１２内に位置し得る。そして、前記吸入モータ２０の少なくとも一部は、前記埃分離部の上側に位置し得る。したがって、前記吸入モータ２０は、前記第１ボディ１０の上方に位置する。
【００４２】
前記吸入モータ２０は、前記第２サイクロン部１３０の排出口と連通することができる。
【００４３】
このために、前記本体２は、前記第２サイクロン部１３０と連結される排出ガイド２８と、前記排出ガイド２８と連通する流動ガイド２２とをさらに含むことができる。
【００４４】
一例として、前記排出ガイド２８は、前記第２サイクロン部１３０の上側に位置し、前記流動ガイド２２は、前記排出ガイド２８の上側に位置する。
【００４５】
そして、前記吸入モータ２０の少なくとも一部は、前記流動ガイド２２の内部に位置する。
【００４６】
したがって、前記埃分離部のサイクロン流動の軸は、前記吸入モータ２０を貫通することができる。
【００４７】
前記吸入モータ２０が前記第２サイクロン部１３０の上側に位置すると、前記第２サイクロン部１３０から排出された空気が直ちに前記吸入モータ２０側に流動できて、前記埃分離部と前記吸入モータ２０との間の流路が最小化され得る。
【００４８】
前記吸入モータ２０は、回転動作するインペラ２００を含むことができる。前記インペラ２００は、シャフト２０２に連結され得る。前記シャフト２０２は、上下方向に延びるように配置される。
【００４９】
前記シャフト２０２の延長線（インペラ２００の回転軸ということもできる）は、 前記第１ボディ１０を通過することができる。このとき、前記インペラ２００の回転軸と前記埃分離部の第１サイクロン部１１０で発生するサイクロン流動の軸は、同一線上に位置し得る。
【００５０】
本発明によると、前記埃分離部から排出された空気、すなわち、第２サイクロン部１３０から上方に排出された空気が前記吸入モータ２０側に流動する経路が減り、空気の方向変化が減ることができて空気の流動損失が減るという長所がある。
【００５１】
空気の流動損失が減る場合、吸入力が増加でき、前記吸入モータ２０に電源を供給するためのバッテリー４０の使用時間が増加できる。
【００５２】
前記掃除機１は、前記吸入モータ２０の上側の一部をカバーする上部モータハウジング２６と前記吸入モータ２０の下側の一部をカバーする下部モータハウジング２７とをさらに含むことができる。
【００５３】
前記吸入モータ２０は、 前記各モータハウジング２６、２７の内部に収容され、前記流動ガイド２２は、前記上部モータハウジング２６を囲むように配置され得る。
【００５４】
前記流動ガイド２２の少なくとも一部は、前記上部モータハウジング２６から離隔し得る。また、前記流動ガイド２２の少なくとも一部は、前記第２ボディ１２から離隔し得る。
【００５５】
したがって、前記流動ガイド２２の内周面と前記上部モータハウジング２６の外周面は、第１空気流路２３２を形成し、前記流動ガイド２２の外周面と前記第２ボディ１２の内周面は、第２空気流路２３４を形成する。
【００５６】
前記第２サイクロン部１９０から排出された空気は、前記第１空気流路２３２に沿って前記吸入モータ２０に流動し、前記吸入モータ２０から排出された空気は、前記第２空気流路２３４に沿って流動した後に外部に排出される。したがって、前記第２空気流路２３４は、排気流路の役割をする。
【００５７】
前記ハンドル部３は、使用者の把持のためのハンドル３０と、前記ハンドル３０の下側に配置されるバッテリーハウジング６０とを含むことができる。
【００５８】
前記ハンドル３０は、前記吸入モータ２０の後方に位置し得る。
【００５９】
方向に対して定義すると、前記掃除機１において前記吸入モータ２０を基準に、前記吸入部５が位置する方向が前方であり、前記ハンドル３０が位置する方向が後方である。
【００６０】
前記バッテリー４０は、前記第１ボディ１０の後方に位置し得る。したがって、前記吸入モータ２０と前記バッテリー４０は、上下方向に重ならないように配置され、配置高さもまた異なるように配置され得る。
【００６１】
このような本発明によると、前記ハンドル３０を基準に、重さが重い吸入モータ２０が前記ハンドル３０の前方に位置し、重さが重いバッテリー４０が前記ハンドル３０の下方に位置するので、前記掃除機１は全体的に重さが等しく分配される。使用者が前記ハンドル３０を把持して清掃をするとき、使用者の手首に負担がかかることが防止され得る。すなわち、掃除機１の前面と後方に重さが重い構成が分散されて配置されるが、互いに異なる高さに配置されるので、掃除機１の重心がある一側に偏ることが防止され得る。
【００６２】
前記バッテリー４０が前記ハンドル３０の下方に位置し、前記吸入モータ２０は前記ハンドル３０の前方に位置するので、前記ハンドル３０の上方には何の構成も存在しなくなる。すなわち、前記ハンドル３０の上面は、前記掃除機１の上面の一部の外観を形成する。
【００６３】
したがって、前記ハンドル３０を把持して使用する過程で、掃除機１の一構成が使用者の腕に接触することが防止され得る。
【００６４】
前記ハンドル３０は、上下方向に延びて使用者が把持できる第１延長部３１０と、前記第１延長部３１０の上側から前記吸入モータ２０に向かって延びる第２延長部３２０とを含むことができる。前記第２延長部３２０は、少なくとも一部が水平方向に延びることができる。
【００６５】
本発明において、前記第１延長部３１０は、使用者が把持できる部分（使用者の手の平が接触できる部分）であって、グリップ部ともいうことができる。
【００６６】
前記第１延長部３１０には、使用者が前記第１延長部３１０を把持した状態で、手が前記第１延長部３１０の長手方向（図２には上下方向）に移動することを防止するための移動制限部３１２が備えられ得る。前記移動制限部３１２は、前記第１延長部３１０から前記吸入部５に向かって延びることができる。
【００６７】
前記移動制限部３１２は、前記第２延長部３２０から離隔して配置される。したがって、前記第１延長部３１０を把持した状態で、一部の指は、前記移動制限部３１２の上方に位置し、残りの指は、前記移動制限部３１２の下方に位置する。
【００６８】
一例として、人差し指と中指との間に前記移動制限部３１２が位置し得る。
【００６９】
このような配置によると、使用者が前記第１延長部３１０を把持した状態で、前記吸入部５の長手方向の軸Ａ１が使用者の手首を通ることができる。
【００７０】
前記吸入部５の長手方向の軸Ａ１が使用者の手首を通る場合、使用者の腕が伸ばされた状態で、前記吸入部５の長手方向の軸Ａ１は，使用者の腕の延長方向と実質的に 平行であり得る。したがって、このような状態では、使用者が前記ハンドル３０を把持して掃除機１を押したり引くとき必要な使用者の力が最小化されるという長所がある。
【００７１】
前記ハンドル３０は、操作部３９０を含むことができる。一例として、前記操作部３９０は、前記第２延長部３２０に形成される傾斜面に位置し得る。前記操作部３９０を介して掃除機（吸入モータ）のオン命令およびオフ命令を入力することができる。一例として、前記操作部３９０を用いて前記吸入モータ２０のオン命令およびオフ命令を入力することができる。また、前記操作部３９０を介し、前記吸入モータ２０がオンされた状態で吸入モータ２０の吸入力の強さを調節することができる。
【００７２】
前記操作部３９０は、使用者に向かうように配置され得る。前記ハンドル３０を基準に、前記操作部３９０は、前記移動制限部３１２の反対側に位置し得る。
【００７３】
前記操作部３９０は、前記移動制限部３１２より高く位置する。したがって、使用者が前記第１延長部３１０を把持した状態で、親指で容易に前記操作部３９０を操作することができる。
【００７４】
また、前記第１延長部３１０から外れた位置に前記操作部３９０が位置するので、前記第１延長部３１０を把持した状態で清掃を行うとき、意図せずに前記操作部３２６が操作されることが防止され得る。
【００７５】
前記バッテリーハウジング６０は、前記第１延長部３１０の下側に位置し得る。
【００７６】
前記バッテリー４０は、前記バッテリーハウジング６０に分離可能に結合され得る。一例として前記バッテリー４０は、前記バッテリーハウジング６０の下方から前記バッテリーハウジング６０の内部に挿入され得る。
【００７７】
前記バッテリーハウジング６０の後面と前記第１延長部３１０の後面は、連続的な面を形成することができる。したがって、前記バッテリーハウジング６０と前記第１延長部３１０が一体感を有し得る。
【００７８】
前記バッテリー４０が前記バッテリーハウジング６０に収容された状態で、前記バッテリー４０の下面が外部に露出し得る。したがって、前記掃除機１を床に置くとき前記バッテリー４０が床に置かれ得る。
【００７９】
このような構造によると、前記バッテリー４０を前記バッテリーハウジング６０から直ちに分離できるという長所がある。
【００８０】
また、前記バッテリー４０の下面が外部に露出するので、前記バッテリー４０の下面が掃除機１の外部の空気と直接接触できて前記バッテリー４０の冷却性能が向上し得る。
【００８１】
前記バッテリーハウジング６０は、前記バッテリー４０が前記バッテリーハウジング６０に装着された状態で、前記バッテリー４０を充電させるための充電台連結端子６２８をさらに含むことができる。前記掃除機１を示されていない充電台に安着させると、前記充電台の端子が前記充電台連結端子６２８と接触し得る。
【００８２】
前記バッテリーハウジング６０には、前記バッテリーハウジング６０に収容されたバッテリー４０内に備えられるバッテリー端子４９０と結合するためのバッテリー連結端子６７０が備えられ得る。前記バッテリー連結端子６７０は、前記バッテリー４０の上側を貫通して前記バッテリー端子４９０に結合され得る。
【００８３】
一方、図３を参照すると、前記掃除機１は、前記吸入モータ２０を通った空気が排出される空気排出口５２２を有するフィルタ機構５０をさらに含むことができる。前記空気排出口５２２は、一例として複数の開口を含み、複数の開口は、円周方向に配列され得る。したがって、空気排出口５２２はリング形状に配列され得る。
【００８４】
前記フィルタ機構５０は、前記本体２の上側に分離可能に結合され得る。前記フィルタ機構５０は、前記第２ボディ１２に分離可能に収容され得る。
【００８５】
前記フィルタ機構５０が前記本体２に結合された状態で、前記フィルタ機構２の一部は、前記第２ボディ１２の外側に位置する。したがって、前記フィルタ機構５０の一部は、前記本体２の上側開口を介して前記本体２内部に引き入れられ、他の一部は、前記本体２の外部に突出する。
【００８６】
前記本体２の高さは、前記ハンドル３０の高さと実質的に同一であり得る。したがって、前記フィルタ機構５０は、前記本体２の上方に突出して使用者が前記フィルタ機構５０を把持した状態で、前記フィルタ機構５０を容易に分離することができる。
【００８７】
前記フィルタ機構５０が前記本体２に結合された状態で、前記フィルタ機構５０の上側に前記空気排出口５２２が位置する。したがって、前記吸入モータ２０から排出された空気は、前記本体２の上方に排出される。
【００８８】
本実施例によると、掃除機１を用いて清掃する過程で、空気排出口５２２から排出された空気が使用者側に流動することが防止され得る。
【００８９】
前記本体２は、前記吸入モータ２０に流入する空気をフィルタリングするためのプレフィルタ２９をさらに含むことができる。前記プレフィルタ２９は、前記流動ガイド２２内に位置し得る。また、前記プレフィルタ２９は、前記上部モータハウジング２６に安着されて前記上部モータハウジング２６の一部を囲むことができる。すなわち、前記上部モータハウジング２６は、前記プレフィルタ２９を支持するためのフィルタ支持部を含むことができる。
【００９０】
図６は、本発明の一実施例に係る本体でハンドル部が分離された状態を示す図であり、図７は、本発明の一実施例に係るハンドル部の斜視図である。
【００９１】
前記ハンドル部３は、ハンドルボディ３３２と、前記ハンドルボディ３３２をカバーするハンドルカバー３３４とを含むことができる。
【００９２】
前記ハンドルボディ３３２は、前記第１延長部３１０の一部および第２延長部３２０の一部を形成する。前記ハンドルカバー３３４は、前記第１延長部３１０の残りの一部および前記第２延長部３２０の残りの一部を形成する。
【００９３】
すなわち、前記ハンドルボディ３３２に前記ハンドルカバー３３４が結合されることによって、前記ハンドルボディ３３２と前記ハンドルカバー３３４が前記第１延長部３１０と第２延長部３２０とを形成する。
【００９４】
前記ハンドルボディ３３２は、前記ハンドル３０を形成するだけでなく前記バッテリーハウジング６０を形成することができる。
【００９５】
前記ハンドル部３は、前記ハンドル部３を前記本体２に結合させるための本体結合部７０をさらに含むことができる。前記本体結合部７０は、前記ハンドル３０と前記バッテリーハウジング６０とを連結することができる。
【００９６】
前記ハンドル部３は、前記吸入モータ２０を制御するためのメインＰＣＢ（ｍａｉｎ  ＰＣＢ）ユニット３４０をさらに含むことができる。
【００９７】
前記メインＰＣＢユニット３４０は、一例として前記第２延長部３２０の内部空間に引き入れられ得る。
【００９８】
前記本体２は、コネクター４００を支持するコネクター支持部１３６をさらに含むことができる。
【００９９】
前記コネクター４００は、前記本体２内に備えられる前記吸入モータ２０と連結され得る。また、前記コネクター４００は、前記メインＰＣＢユニット３４０と連結され得る。前記コネクター４００は、前記メインＰＣＢユニット３４０から伝達された制御信号を前記吸入モータ２０に伝達する。前記コネクター４００は、制御信号を伝達するための信号端子を含むことができる。
【０１００】
前記本体２は、前記コネクター支持部１３６に前記コネクター４００が支持された状態で、前記コネクター４００が上方に分離されることを防止するための分離防止リブ１３６ａをさらに含むことができる。
【０１０１】
前記分離防止リブ１３６ａは、前記コネクター支持部１３６から離隔して形成される。前記コネクター支持部１３６と前記分離防止リブ１３６ａとの間の空間に前記コネクター４００が引き入れられ得る。一例として、前記コネクター４００は、水平方向に前記コネクター支持部１３６にスライディング安着され得る。
【０１０２】
前記コネクター支持部１３６および前記分離防止リブ１３６ａは、一例として前記第２ボディ１２に備えられ得る。
【０１０３】
前記本体２は、本体端子８０を含み、前記ハンドル部３は、ハンドル端子９０をさらに含むことができる。前記ハンドル端子９０は、前記メインＰＣＢユニット３４０と連結され得る。
【０１０４】
前記本体端子８０は、前記本体２に結合されるカバー部材７０に設けられ得る。前記本体端子８０は、前記ハンドル部３が前記本体２に結合されると、前記ハンドル端子９０と連結され得る。
【０１０５】
前記本体端子８０には、複数の本体電線１４１、１４２が連結され得る。前記複数の本体電線１４１、１４２は、前記本体端子８０の下側で前記本体端子８０に連結され得る。
【０１０６】
前記複数の本体電線１４１、１４２は、前記吸入モータ２０に電源を供給するために前記吸入モータ２０に連結される一対の第１電線１４１と、前記吸入部５に連結される一対の第２電線１４２とを含むことができる。
【０１０７】
前記複数の本体電線１４１、１４２は、前記本体２に備えられたパッキング１３８を貫通した後に前記本体２内に引き入れられ得る。
【０１０８】
本実施例によると、制御信号を伝達する信号端子と電源供給のための制御端子が分離され、本体で別途の位置に配置されることによって、本体端子８０の大きさが大きくなることが防止され得る。
【０１０９】
前記ハンドル部３は、前記本体２と結合されるためのボディ結合部３０４を含むことができ、前記本体２は、前記ボディ結合部３０４と結合されるためのハンドル結合部１３９ａとを含むことができる。前記ハンドル部３は、前記ボディ結合部３０４と前記ハンドル結合部１３９ａによって前記本体２で上下方向にスライディング結合され得る。
【０１１０】
そして、前記ハンドル部３が前記本体２に結合される過程で、前記メインＰＣＢユニット３４０と前記コネクター４００が連結され、前記ハンドル端子９０が前記本体端子８０と連結され得る。
【０１１１】
一方、前記ハンドル部３は、複数のハンドル電線９４２、９４４、９４６をさらに含むことができる。前記複数のハンドル電線９４２、９４４、９４６は、前記メインＰＣＢユニット３４０に連結され得る。
【０１１２】
前記メインＰＣＢユニット３４０は、前記バッテリー４０と連結され得る。また、前記メインＰＣＢユニット３４０は、前記操作部３９０から操作信号の入力を受けることができる。前記メインＰＣＢユニット３４０は、入力された操作信号に基づいて前記吸入モータ２０および／または前記吸入部に位置する吸入部端子（図示せず）に電源を供給したり前記吸入モータ２０の吸入力の強さを調節することができる。
【０１１３】
前記複数のハンドル電線９４２、９４４、９４６は、前記ハンドル端子９０に連結されて前記吸入部端子に電源を供給するための第１ハンドル電線９４２と、前記ハンドル端子９０に連結されて前記吸入モータ２０に電源を供給するための第２ハンドル電線９４４とを含むことができる。
【０１１４】
前記ハンドル端子９０が前記本体端子８０と連結されると、前記第１ハンドル電線９４２は、前記本体２に備えられる第１本体電線１４１と連結され、前記第２ハンドル電線９４４は、前記本体２に備えられる第２本体電線１４２と連結され得る。
【０１１５】
前記複数のハンドル電線９４２、９４４、９４６は、前記充電台連結端子６２８と連結される端子連結電線９４６とをさらに含むことができる。
【０１１６】
前記ハンドル部３は、前記複数のハンドル電線９４２、９４４、９４６が互いに絡まれていない状態で位置するようにハンドル電線の位置をガイドする電線ガイド３０９をさらに含むことができる。
【０１１７】
以下では、前記メインＰＣＢユニット３４０の構造および組立方法について説明する。
【０１１８】
以下では、メインＰＣＢユニットの構造について詳細に説明する。
【０１１９】
図８は、本発明の一実施例に係るメインＰＣＢユニットの斜視図であり、図９は、図８のメインＰＣＢユニットの正面図であり、図１０および図１１は、図８のメインＰＣＢユニットの分解斜視図である。図１２は、本発明のＰＣＢコネクターの斜視図である。
【０１２０】
図８ないし図１２を参照すると、本実施例に係るメインＰＣＢユニット３４０は、メインＰＣＢ３４１を含むことができる。
【０１２１】
前記第２延長部３２０が形成する空間内に前記メインＰＣＢ３４１が位置するように、前記メインＰＣＢ３４１は複数のＰＣＢに分離されて形成され得る。すなわち、前記メインＰＣＢ３４１は、第１ＰＣＢ３４２と第２ＰＣＢ３４４とを含むことができる。
【０１２２】
前記第１ＰＣＢ３４２と前記第２ＰＣＢ３４４は、立てられた状態で平行に配置され得る。前記第１ＰＣＢ３４２と前記第２ＰＣＢ３４４は、水平方向に離隔して配置され得る。
【０１２３】
前記第１ＰＣＢ３４２と前記第２ＰＣＢ３４４との間には、二つのＰＣＢ３４２、３４４を互いに連結させるための一つ以上の連結端子３４８が位置し得る。
【０１２４】
前記メインＰＣＢユニット３４０は、前記第１ＰＣＢ３４２と前記第２ＰＣＢ３４４を連結するためのＰＣＢコネクター３５０をさらに含むことができる。
【０１２５】
前記ＰＣＢコネクター３５０は、機構的に前記第１ＰＣＢ３４２と前記第２ＰＣＢ３４４とを連結することができる。
【０１２６】
前記ＰＣＢコネクター３５０は、前記第１ＰＣＢ３４２と前記第２ＰＣＢ３４４が上側に安着され得るコネクターボディ３５１を含むことができる。
【０１２７】
前記コネクターボディ３５１は、板状に形成され得る。前記ＰＣＢコネクター３５０は、前記第１ＰＣＢ３４２と前記第２ＰＣＢ３４４が離隔した状態を維持するための一つ以上のスペーサー３５２をさらに含むことができる。
【０１２８】
このとき、前記一つ以上のスペーサー３５２は、前記コネクターボディ３５１の下面３５１ａから下方に突出することができる。
【０１２９】
前記一つ以上のスペーサー３５２の両側面には、前記第１ＰＣＢ３４２および前記第２ＰＣＢ３４４と結合のための結合突起３５３が形成され得る。そして、前記各ＰＣＢ３４２、３４４には、前記結合突起３５３が結合されるための突起結合部３４６、３４７が備えられ得る。前記突起結合部３４６、３４７は、溝または孔であり得る。
【０１３０】
本明細書において、互いに結合されたＰＣＢコネクター３５０と前記メインＰＣＢ３４１をメインＰＣＢ組立体ということができる。
【０１３１】
前記ＰＣＢコネクター３５０の結合突起３５３が前記各ＰＣＢ３４２、３４４の突起結合部３４６、３４７に結合された状態で、前記コネクターボディ３５１が前記第１ＰＣＢ３４２および前記第２ＰＣＢ３４４の上面に安着され得るように、前記一つ以上のスペーサー３５２の幅は、前記コネクターボディ３５１の幅より小さく形成され得る。
【０１３２】
また、前記一つ以上のスペーサー３５２は、前記コネクターボディ３５１の幅方向端部３５１ｂ、３５１ｃから離隔するように配置され得る。
【０１３３】
前記ＰＣＢコネクター３５０の結合突起３５３が前記各ＰＣＢ３４２、３４４の突起結合部３４６、３４７に結合された状態で、前記コネクターボディ３５１が前記第１ＰＣＢ３４２と前記第２ＰＣＢ３４４の上面に安着されると、前記メインＰＣＢユニット３４０の高さが減ることができるという長所がある。
【０１３４】
もちろん、前記ＰＣＢコネクター３５０の結合突起３５３が前記各ＰＣＢ３４２、３４４の突起結合部３４６、３４７に結合された状態で、前記コネクターボディ３５１が前記第１ＰＣＢ３４２と前記第２ＰＣＢ３４４の上面から離隔することも可能である。
【０１３５】
また、前記一つ以上のスペーサー３５２が前記コネクターボディ３５１の幅方向端部３５１ｂ、３５１ｃから離隔するように配置される場合には、前記ＰＣＢコネクター３５０の結合突起３５３が前記各ＰＣＢ３４２、３４４の突起結合部３４６、３４７に結合された状態で、前記メインＰＣＢユニット３４０の幅が減ることができるという長所がある。
【０１３６】
前記ＰＣＢコネクター３５０が複数のスペーサー３５２を含む場合には、複数のスペイト３５２は、前記コネクターボディ３５１の長手方向に離隔して配列され得る。
【０１３７】
前記ＰＣＢコネクター３５０は、前記ハンドルボディ３３２と結合するための結合フック３５７を含むことができる。
【０１３８】
このとき、前記結合フック３５７は、前記コネクターボディ３５１から水平方向に延びることができる。
【０１３９】
前記結合フック３５７による前記ＰＣＢコネクター３５０と前記ハンドルボディ３３２の結合過程で、前記結合フック３５７が破損されることが防止されるように、前記コネクターボディ３５１の下面３５１ａには補強リブ３５４が備えられ得る。
【０１４０】
前記補強リブ３５４は、制限的ではないが、前記コネクターボディ３５１の下面３５１ａから突出し、前記結合フック３５７と前記一つ以上のスペーサー３５２とを連結することができる。
【０１４１】
もし、前記ＰＣＢコネクター３５０が複数のスペーサー３５２を含む場合には、前記補強リブ３５４は、前記複数のスペーサー３５２のうち前記結合フック３５７と最も近いスペーサー３５２と前記結合フック３５７とを連結することができる。
【０１４２】
前記第１ＰＣＢ３４２と前記第２ＰＣＢ３４４のいずれか一つは、前記掃除機１の状態を表示するための発光部３７０が設けられ得る。
【０１４３】
図１１には、一例として前記第２ＰＣＢ３４４に前記発光部３７０が設けられることが示される。前記発光部３７０は、一つ以上のＬＥＤを含むことができる。一例として、図１１には前記発光部３７０が前記コネクターボディ３５１の長手方向と平行な方向に離隔して配置される複数のエルイーディー（ＬＥＤ）３７１、３７２、３７３を含むことが示される。
【０１４４】
制限的ではないが、前記複数のＬＥＤ３７１、３７２、３７３を用いて、前記バッテリー４０の残量、前記吸入モータ２０の吸入力の強さなどを表示することができる。
【０１４５】
前記コネクターボディ３５１には、前記複数のＬＥＤ３７１、３７２、３７３から 照射された光が通過するための複数の光開口３５５が備えられ得る。
【０１４６】
前記複数の光開口３５５は、前記コネクターボディ３５１の長手方向に離隔して配置され得、前記ＰＣＢコネクター３５０が前記各ＰＣＢ３４２、３４４と連結されると、前記複数の光開口３５５は、前記複数のＬＥＤ３７１、３７２、３７３と整列され得る。
【０１４７】
前記一つ以上のスペーサー３５２が前記複数のＬＥＤ３７１、３７２、３７３から照射される光と干渉されないように、前記一つ以上のスペーサー３５２は、隣接する二つの光開口３７５の間の領域に位置する。
【０１４８】
この場合、前記スペーサー３５２が前記各ＬＥＤ３７１、３７２、３７３から照射された光に干渉されないだけでなく、隣接した二つのＬＥＤから照射される光間の相互干渉が防止されるようにする役割をする。すなわち、前記スペーサー３５２は、隣接する二つのＬＥＤから照射される光の経路を区画する役割をする。
【０１４９】
前記各ＰＣＢ３４２、３４４は、パワーＰＣＢ（Ｐｏｗｅｒ  ＰＣＢを支持するための延長部３４３、３４５を含むことができる。前記延長部３４３、３４５は、前記パワーＰＣＢ（Ｐｏｗｅｒ  ＰＣＢ）を傾斜した状態で支持するための傾斜面３４３a、３４５ａを含むことができる。
【０１５０】
前記第１ＰＣＢ３４２と前記第２ＰＣＢ３４４のいずれか一つには、前記パワーＰＣＢと連結されるための第１連結端子３４９が備えられ得る。
【０１５１】
図１１には、一例として前記第１連結端子３４９が前記第１ＰＣＢ３４２の第１延長部３４３に位置することが示される。
【０１５２】
前記第１ＰＣＢ３４２と前記第２ＰＣＢ３４４のいずれか一つは、前記本体２０に設けられるコネクター４００と連結され得る。
【０１５３】
以下では、一例として前記コネクター４００が前記第２ＰＣＢ３４４に連結されることについて説明する。
【０１５４】
前記メインＰＣＢユニット３４０は、前記各ＰＣＢ３４２、３４４と前記ＰＣＢコネクター３５０の上側をカバーするＰＣＢカバー３６０をさらに含むことができる。
【０１５５】
前記ＰＣＢカバー３６０は、前記ＰＣＢコネクター３５０の上面をカバーする上面部３６１と、前記上面部３６１の両段から下方に延びる一対の側面部３６２、３６３とを含むことができる。
【０１５６】
前記一対の側面部３６２、３６３は、前記ＰＣＢコネクター３５０をカバーするだけでなく、前記各ＰＣＢ３４２、３４４の上側の一部をカバーすることができる。
【０１５７】
前記一対の側面部３６２、３６３によって、前記ＰＣＢコネクター３５０と連結された各ＰＣＢ３４２、３４４が前記ハンドル３０内で水平方向に移動することが防止され得る。
【０１５８】
前記ＰＣＢカバー３６０は、前記コネクターボディ３５１の複数の光開口３５５をカバーする。このとき、前記複数の光開口３５５を通過した光が前記ＰＣＢカバー３６０を透過できるように、前記ＰＣＢカバー３６０には複数の光透過部３６４が備えられ得る。前記複数の光透過部３６４の個数は、前記複数の光開口３５５と同一であり、前記複数の光開口３５５と対向するように配置される。
【０１５９】
前記複数の光透過部３６４は、前記ＰＣＢカバー３６０の上面部３６１から上方に突出することができる。
【０１６０】
前記ＰＣＢカバー３６０において、少なくとも複数の光透過部３６４は、透明または半透明であり得る。
【０１６１】
一方、前記第２ＰＣＢ３４４は、前記コネクターと電気的に連結されるための複数の接触パッドを含むことができる。
【０１６２】
前記複数の接触パッドは、前記第２ＰＣＢ３４４の両面それぞれに備えられ得る。
【０１６３】
前記複数の接触パッドは、前記第２ＰＣＢ３４４の第１面３４４０ａに備えられる一つ以上の第１パッド３４４２と、前記第１パッド３４４２から離隔して配置される第２パッド３４４４とを含むことができる。前記第１パッド３４４２と前記第２パッド３４４４は、一例として水平方向に離隔して配置される。
【０１６４】
また、前記複数の接触パッドは、前記第２ＰＣＢ３４４の第１面３４４０ａの反対面である第２面３４４０ｂに備えられる一つ以上の第３パッド３４４３と、前記第３パッド３４４３から離隔して配置される第４パッド３４４５とをさらに含むことができる。前記第３パッド３４４３と前記第４パッド３４４５は、一例として水平方向に離隔して配置される。
【０１６５】
そして、前記第２ＰＣＢ３４４の上で前記第１パッド３４４２と前記第３パッド３４４３は互いに対向するように配置され、前記第２パッド３４４４と第４パッド３４４５は互いに対向するように配置される。
【０１６６】
前記第２ＰＣＢ３４４には、定位置で前記第２ＰＣＢ３４４と前記コネクター４００が結合されるためのスリット３４４１が備えられ得る。
【０１６７】
前記スリット３４４１は、前記第１パッド３４４２と前記第２パッド３４４４との間に位置する。したがって、前記スリット３４４１は、前記第３パッド３４４３と前記第４パッド３４４５との間にも位置する。前記スリット３４４１は、前記複数のパッドが形成される第２ＰＣＢ３４４の一端部が切開されることによって形成され得る。
【０１６８】
図１３は、本発明の一実施例に係るコネクターの斜視図であり、図１４は、図１３のコネクターの平面図であり、図１５は、メインＰＣＢユニットとコネクターが連結された状態を示す斜視図であり、図１６は、第２ＰＣＢとコネクターが連結された状態を示す断面図である。
【０１６９】
図１３ないし図１６を参照すると、本実施例のコネクター４００は、第１コネクティングボディ４１０と、前記第１コネクティングボディ４１０から離隔する第２コネクティングボディ４２０と、前記第１コネクティングボディ４１０と前記第２コネクティングボディ４２０を連結する連結ボディ４３０とを含むことができる。
【０１７０】
前記第２ＰＣＢ３４４が前記コネクター４００の上方から下方に前記コネクター４００に結合されるために、前記連結ボディ４３０は、前記第１コネクティングボディ４１０と前記第２コネクティングボディ４２０の下側を連結することができる。
【０１７１】
したがって、前記第１コネクティングボディ４１０と前記第２コネクティングボディ４２０との間には、前記第２ＰＣＢ３４４が収容されるためのＰＣＢ収容空間４５０が定義される。
【０１７２】
前記第１コネクティングボディ４１０で前記第２コネクティングボディ４２０を向く一面には、一つ以上の第１コネクティングピン４４２と、前記第１コネクティングピン４４２から離隔する第２コネクティングピン４４３とが備えられ得る。前記第１コネクティングピン４４２と前記第２コネクティングピン４４３は、水平方向に離隔して配置され得る。
【０１７３】
前記第２コネクティングボディ４２０で前記第１コネクティングボディ４１０を向く一面には、一つ以上の第３コネクティングピン４４４と、前記第３コネクティングピン４４４から離隔する第４コネクティングピン４４５とが備えられ得る。前記第３コネクティングピン４４４と前記第４コネクティングピン４４５は、水平方向に離隔して配置され得る。
【０１７４】
前記第１コネクティングピン４４２と前記第３コネクティングピン４４４は、互いに離隔した位置で対向するように配置され得る。前記第２コネクティングピン４４３と前記第４コネクティングピン４４５は、互いに離隔した位置で対向するように配置され得る。
【０１７５】
前記各コネクティングピン４４２ないし４４５の一部は、前記各コネクティングボディ４１０、４２０の内部に位置し、他の一部は、前記各コネクティングボディ４１０、４２０から前記ＰＣＢ収容空間４５０に突出することができる。
【０１７６】
前記各コネクティングピン４４２ないし４４５は、一例として弾性変形可能な伝導体であって、前記各コネクティングピン４４２ないし４４５が前記各コネクティングボディ４１０、４２０から突出した状態で、外力によって前記各コネクティングボディ４１０、４２０の内側に引き入れられる方向に移動することができる。
【０１７７】
または、前記各コネクティングピン４４２ないし４４５は伝導体であって、前記各コネクティングボディ４１０、４２０に位置が固定されるように設けられ得る。
【０１７８】
前記ＰＣＢ収容空間４５０には、前記第２ＰＣＢ３４４のスリット３４４１に挿入されるためのスリット挿入突起４１２が備えられ得る。
【０１７９】
前記スリット挿入突起４１２は、前記第１コネクティングピン４４２と前記第２コネクティングピン４４３との間の領域に位置し得る。したがって、前記スリット挿入突起４１２は、前記第３コネクティングピン４４４と第４コネクティングピン４４５との間の領域に位置する。
【０１８０】
前記スリット挿入突起４１２は、前記連結ボディ４３０から前記ＰＣＢ収容空間４５０に突出することができる。一例として、前記スリット挿入突起４１２は、前記連結ボディ４３０から上方に突出することができる。
【０１８１】
または、前記スリット挿入突起４１２は、前記各コネクティングボディ４１０、４２０のいずれか一つに備えられ、他の一つに向かって突出することができる。または、前記スリット挿入突起４１２は、前記第１コネクティングボディ４１０と第２コネクティングボディ４２０とを連結することができる。
【０１８２】
前記第１コネクティングボディ４１０と第２コネクティングボディ４２０のいずれか一つには、図６で説明された分離防止リブ１３６ａが安着される突起安着部４１４が備えられ得る。図１３には、一例として前記第１コネクティングボディ４１０に突起安着部４１４が備えられることが示される。
【０１８３】
一方、前記第２ＰＣＢ３４４は、前記コネクター４００の上方から下方に前記ＰＣＢ収容空間４５０に収容され得る。
【０１８４】
前記第２ＰＣＢ３４４が前記ＰＣＢ収容空間４５０に収容される過程で、前記スリット挿入突起４１２が前記第２ＰＣＢ３４４のスリット３４４１に挿入され得る。
【０１８５】
このように、前記スリット挿入突起４１２が前記第２ＰＣＢ３４４のスリット３４４１に収容された状態は、前記第２ＰＣＢ３４４が前記コネクター４００に正常に連結される状態である。
【０１８６】
この状態で、図１６のように前記各パッド３４４２ないし３４４５が各コネクティングピン４４２ないし４４５に定位置で接触するようになる。
【０１８７】
本発明によると、前記スリット挿入突起４１２が前記第２ＰＣＢ３４４のスリット３４４１に収容されて各パッド３４４２ないし３４４５が各コネクティングピン４４２ないし４４５に接触するようになるので、前記第２ＰＣＢ３４４とコネクター４００の誤組立が防止されるという長所がある。
【０１８８】
また、前記第２ＰＣＢ３４４とコネクター４００の誤組立が防止されることに従って、隣接する二つのパッドが一つのコネクティングピンによって連結されることによるショートが発生することが防止され得る。
【０１８９】
本発明によると、二つのコネクティングボディ４１０、４２０の間に第２ＰＣＢ３４４が挿入され、前記スリット挿入突起４１２が前記第２ＰＣＢ３４４のスリット３４４１に収容されるように構成されることによって、前記第２ＰＣＢ３４４と前記コネクター４００の固定のためのフックのような追加の固定手段が不要であるという長所がある。
【０１９０】
また、本発明において、前記第１コネクティングピン４４２と第３コネクティングピン４４４は同じ役割をし、第２コネクティングピン４４３と第４コネクティングピン４４５は同じ役割をする。
【０１９１】
また、前記第２ＰＣＢ３４４で第１パッド３４４２と第３パッド３４４３は同じ役割をし、第２パッド３４４４と第４パッド３４４５は同じ役割をする。
【０１９２】
したがって、前記第２ＰＣＢ３４４の両面にパッド３４４２ないし３４４５が備えられ、第２ＰＣＢ３４４を二つのコネクティングボディ４１０、４２０の間に挿入することによって、第２ＰＣＢ３４４の両面のパッド３４４２ないし３４４５のうち一面のパッド３４４２ないし３４４５がコネクティングピン４４２ないし４４５に連結されるだけて、信号伝達が可能なので、第２ＰＣＢ３４４とコネクター４００の連結正確性が向上し得る。
【０１９３】
このとき、前記第２ＰＣＢ３４４とコネクター４００の結合力が向上するように前記スリット挿入突起４１２に楔を形成し、前記スリット３４４１に楔結合のための追加の溝を形成することも可能である。
【０１９４】
図１７は、本発明の一実施例に係るハンドルボディの斜視図であり、図１８は、ハンドルの内部構造を示す断面図であり、図１９は、ハンドルボディにメインＰＣＢユニットが結合された状態の断面図であり、図２０は、ハンドルボディにメインＰＣＢユニットが結合された状態でパワーＰＣＢが支持リブに安着された様子を示す図であり、図２１は、図２０の状態でハンドルカバーおよび操作部が結合される様子を示す図である。
【０１９５】
図２２は、本発明の一実施例に係るハンドル部の組み立てが完了した状態で、ハンドル部が本体に結合される様子を示す図である。
【０１９６】
前記ハンドルボディ３３２には、前記メインＰＣＢユニット３４０が収容されるための収容空間３２２が形成され得る。前記収容空間３２２は、実質的に前記第２延長部３２０内に形成される空間である。
【０１９７】
前記ハンドルボディ３３２は、前記メインＰＣＢユニット３４０を支持するサポーター３２４を含むことができる。
【０１９８】
前記サポーター３２４は、前記メインＰＣＢユニット３４０が安着される安着面３２４ａと、前記安着面３２４ａに安着された第１ＰＣＢ３４２を支持する第１リブ３２４ｂと、前記安着面３２４ａに安着された第２ＰＣＢ３４４を支持する第２リブ３２４ｃとを含むことができる。
【０１９９】
前記各リブ３２４ｂ、３２４ｃは、前記安着面３２４ａから上方に突出することができる。
【０２００】
前記第１リブ３２４ｂと前記第２リブ３２４ｃによって、前記サポーター３２４に支持された前記メインＰＣＢユニット３４０が図１６を基準に左右方向に移動することが防止され得る。
【０２０１】
また、前記第１リブ３２４ｂと前記第２リブ３２４ｃは、メインＰＣＢ組立体を前記ハンドルボディ３３２の収容空間３２２に収容する過程で、前記メインＰＣＢ組立体の引き入れをガイドする。
【０２０２】
前記ハンドルボディ３３２は、前記ＰＣＢカバー３６０の複数の光透過部３６４が挿入されるための複数の挿入孔３２７をさらに含むことができる。
【０２０３】
前記複数の光透過部３６４が前記複数の挿入孔３２７に挿入された状態で、前記複数の光透過部３６４は前記ハンドル３０の外部に露出し得る。したがって、前記複数の光透過部３６４によって複数のＬＥＤ３７１、３７２、３７３から照射される光を使用者が目視で確認することができる。
【０２０４】
本実施例の場合、前記複数の光透過部３６４が前記複数の挿入孔３２７に挿入されるので、外部の水分または異物が前記複数の挿入孔３２７を介して前記メインＰＣＢ３４１側に移動することが防止され得る。
【０２０５】
前記ハンドルボディ３３２は、前記収容空間３２２に前記メインＰＣＢ組立体が収容される過程で、前記ＰＣＢコネクター３５０と結合するコネクター結合部３２５をさらに含むことができる。
【０２０６】
前記コネクター結合部３２５には、前記ＰＣＢコネクター３５０の結合フック３５７が貫通するための貫通孔３２５ａと、前記貫通孔３２５ａを貫通した結合フック３５７が係止されるフック係止リブ３２５ｂが備えられ得る。
【０２０７】
一方、前記パワーＰＣＢ３８０は、前記操作部３９０の操作命令の入力を受けるための第１スイッチ３８２と第２スイッチ３８４とを含むことができる。制限的ではないが、前記第１スイッチ３８２は、前記吸入モータ２０のオンまたはオフ命令の入力を受けることができ、前記第２スイッチ３８４は、前記吸入モータ２０の吸入力の強さを調節するための命令の入力を受けることができる。
【０２０８】
前記ハンドルボディ３３２は、前記パワーＰＣＢ３８０を支持するための支持リブ３２６をさらに含むことができる。前記支持リブ３２６は、前記コネクター結合部３２５から下方に延びることができる。
【０２０９】
前記支持リブ３２６は、前記パワーＰＣＢ３８０が傾斜した状態に配置されるようにするための傾斜面３２６ａを含むことができる。したがって、前記パワーＰＣＢ３８０が前記傾斜面３２６ａに支持された状態で、前記第１スイッチ３８２と前記第２スイッチ３８４の高さは異なるようになる。
【０２１０】
前記メインＰＣＢユニット３４０が前記ハンドルボディ３３２に結合されると、前記第１ＰＣＢ３４２と前記第２ＰＣＢ３４４との間に前記支持リブ３２６が位置する。このとき、前記メインＰＣＢユニット３４０の結合過程で、前記支持リブ３２６によってメインＰＣＢ３４１が損傷されることが防止されるように、前記支持リブ３２６は前記第１ＰＣＢ３４２および第２ＰＣＢ３４４それぞれから離隔する。
【０２１１】
前記支持リブ３２６の傾斜面３２６ａの傾斜角度は、前記各ＰＣＢ３４２、３４４の延長部３４３、３４５の傾斜面３４３a、３４５ａの傾斜角度と同一であり得る。
【０２１２】
したがって、前記各ＰＣＢ３４２、３４４の傾斜面３４３a、３４５ａおよび前記支持リブ３２６の傾斜面３２６ａが前記パワーＰＣＢ３８０を支持することができる。
【０２１３】
もちろん、前記支持リブ３２６の傾斜面３２６ａに前記パワーＰＣＢ３８０が接触した状態で、前記各ＰＣＢ３４２、３４４の傾斜面３４３a、３４５ａが前記パワーＰＣＢ３８０から離隔することも可能である。
【０２１４】
前記支持リブ３２６の傾斜面３２６ａに接触した前記パワーＰＣＢ３８０が図１５を基準に左右方向に移動することを防止するために、前記ハンドルボディ３３２は、前記パワーＰＣＢ３８０を貫通する係合リブ３２６ｂをさらに含むことができる。そして、前記パワーＰＣＢ３８０には、前記係合リブ３２６ｂが貫通するためのスリット３８６が形成され得る。
【０２１５】
前記係合リブ３２６ｂは、前記支持リブ３２６の下側に位置し得る。前記パワーＰＣＢ３８０が前記支持リブ３２６の傾斜面３２６ａに安着されると、前記係合リブ３２６ｂが前記スリット３８６に係合されるので、前記パワーＰＣＢ３８０の組立過程で、前記パワーＰＣＢ３８０が前記支持リブ３２６の傾斜面３２６ａに沿って下側に滑ることが防止され得る。
【０２１６】
前記ハンドルボディ３３２は、前記支持リブ３２６に安着された前記パワーＰＣＢ３８０の上方移動を防止するための上部ストッパー３２８をさらに含むことができる。
【０２１７】
前記ハンドルボディ３３２は、スクリューのような締結部材（図示せず）によって前記支持リブ３２６に安着された前記パワーＰＣＢ３８０と締結されるための締結ボス３２９をさらに含むことができる。
【０２１８】
前記パワーＰＣＢ３８０には、前記締結部材が貫通するための貫通孔３８１が形成され得る。
【０２１９】
一方、前記操作部３９０は、前記ハンドルカバー３３４に締結されるための支持フレーム３９６と、前記支持フレーム３９６に結合される操作ボタン３９１とを含むことができる。
【０２２０】
前記操作ボタン３９１は、前記第１スイッチ３８２を押すための第１プッシュ部３９２と、前記第２スイッチ３８４を押すための第２プッシュ部３９４とを含むことができる。すなわち、一つの操作ボタン３９１が二つのプッシュ部３９２、３９４を含むことができる。
【０２２１】
本発明の場合、前記第１スイッチ３８２と前記第２スイッチ３８４が互いに異なる高さに配置されて前記パワーＰＣＢ３８０が傾斜するので、使用者が前記ハンドル３０を把持した状態で、一つの指で前記操作ボタン３９１を操作して前記第１スイッチ３８２を押したり第２スイッチ３８４を押すことができる。したがって、使用者の操作便宜性が向上し得る。
【０２２２】
以下、メインＰＣＢユニット３４０とパワーＰＣＢ３８０の組立過程について説明する。
【０２２３】
先に、前記ハンドルボディ３３２の収容空間３２２に前記ＰＣＢカバー３６０を引き入れた状態で、前記被ＣＰカバー３６０の光透過部３６４が前記ハンドルボディ３３２の挿入孔３２７に挿入されるようにする。
【０２２４】
そして、前記第１ＰＣＢ３４２と前記第２ＰＣＢ３４４を前記ＰＣＢコネクター３５０に連結してメインＰＣＢ組立体を完成し、前記メインＰＣＢ組立体を前記ＰＣＢカバー３６０と前記ハンドルボディ３３２のサポーター３２４との間の空間に挿入する。
【０２２５】
前記メインＰＣＢ組立体の挿入過程で、前記ＰＣＢカバー３６０の一対の側面部３６２、３６３と前記サポーター３２４の第１および第２リブ３２４ｂ、３２４ｃは、前記メインＰＣＢ組立体の挿入をガイドする。
【０２２６】
前記メインＰＣＢ組立体が前記ハンドルボディ３３２の収容空間３２２に挿入される過程で、前記ＰＣＢコネクター３５０の結合フック３５７が前記フック貫通孔３２５ａを貫通してフック係止リブ３２５ｂに係止されると、前記メインＰＣＢ組立体の組み立ては完了する。
【０２２７】
この状態で、図２０のように前記パワーＰＣＢ３８０を前記支持リブ３２６に安着させた状態で、締結部材を用いて前記パワーＰＣＢ３８０を前記ハンドルボディ３３２に固定することができる。
【０２２８】
前記パワーＰＣＢ３８０は、実質的に前記メインＰＣＢ３４１と同じ高さで前記ハンドルボディ３３２に固定される。
【０２２９】
次に、図２１のように前記ハンドルボディ３３２に前記ハンドルカバー３３４を結合させた後に前記ハンドルカバー３３４に前記操作部３９０を結合させることができる。
【０２３０】
そして、図２２のように、前記ハンドル部３を前記本体２と整列させた後に前記ハンドル部３を下方にスライディングさせると、前記ハンドル部３が前記本体２に固定され得る。
【０２３１】
提案される本発明によると、前記メインＰＣＢ３４１が二つのＰＣＢに区分された状態で、前記ハンドルボディ３３２内に収容されるので、メインＰＣＢ３４１の大きさが減ることができるという長所がある。
【０２３２】
特に、前記二つのＰＣＢが平行な状態および立てられた状態で前記ハンドルボディに収容されるので、メインＰＣＢユニット３４０の大きさが最小化されるという長所がある。
【０２３３】
また、二つのＰＣＢをＰＣＢコネクター３５０に連結した状態で、メインＰＣＢ組立体をハンドルボディ３３２の収容空間３２２に挿入させる過程で、前記メインＰＣＢ組立体が前記ハンドルボディ３３２に結合され得るので、二つのＰＣＢを互いに固定するための構造および二つのＰＣＢを前記ハンドルボディ３３２に固定するための構造が簡単になり、使用者の組立過程が容易であるという長所がある。
【０２３４】
また、前記ハンドル部３が前記本体２に対してスライディングされる過程で、前記第２ＰＣＢ３４４が前記コネクターに連結されるので、前記第２ＰＣＢ３４４をコネクターに連結するための過程が不要であるという長所がある。
【図１】
2019527593.tif 000003
【図２】
2019527593.tif 000004
【図３】
2019527593.tif 000005
【図４】
2019527593.tif 000006
【図５】
2019527593.tif 000007
【図６】
2019527593.tif 000008
【図７】
2019527593.tif 000009
【図８】
2019527593.tif 000010
【図９】
2019527593.tif 000011
【図１０】
2019527593.tif 000012
【図１１】
2019527593.tif 000013
【図１２】
2019527593.tif 000014
【図１３】
2019527593.tif 000015
【図１４】
2019527593.tif 000016
【図１５】
2019527593.tif 000017
【図１６】
2019527593.tif 000018
【図１７】
2019527593.tif 000019
【図１８】
2019527593.tif 000020
【図１９】
2019527593.tif 000021
【図２０】
2019527593.tif 000022
【図２１】
2019527593.tif 000023
【図２２】
2019527593.tif 000024
【国際調査報告】
2019527593.tif 000025
2019527593.tif 000026
2019527593.tif 000027
2019527593.tif 000028